(57)【要約】      （修正有）【課題】エレクトロニクス機器部品を組合せたロボット装身具の提供。【解決手段】圧着スリーブ（２）を並列させてドーナツ型溝付きゴムブッシュ（１）の開口部に挿通、ドーナツ型溝付きゴムブッシュ（１）の溝にナット（５）を通したステンレスワイヤー（６）を巻きつけ捩り止めしたヘッドユニットに、ボディーユニットとして圧着Ｒ端子（３）を並列させてドーナツ型溝付きゴムブッシュ（１）の開口部に挿通、左右にナット（５）を通したステンレスワイヤー（６）を巻きつけ捩り止めしたもの或いは中継ジャック（１８）手足ユニットとして圧着Ｒ型端子（３）、圧着Ｙ型端子（４）を組合せる。【選択図】図１
0003121249.tif 000002
【実用新案登録請求の範囲】
【請求項１】
２個の圧着スリーブ（２）を並列させてドーナツ型溝付きゴムブッシュ（１）の開口部に挿通（図２・Ａ）、そのドーナツ型溝付きゴムブッシュ（１）の溝にナット（５）を通したステンレスワイヤー（６）を巻き付け捩り止めし頭部と見立てたものに、２個の圧着Ｒ型端子（３）を並列させてドーナツ型溝付きゴムブッシュ（１）の開口部に挿通（図２・Ｂ）し、左右にナット（５）を通したステンレスワイヤー（６）を巻き付け捩り止めし胴体に見立てたものをつなげ、Ｔピン（８）に銅玉（７）、圧着Ｙ型端子（４）、銅玉（７）を通し曲げ止めし（図２・Ｃ）環の部分にマル環（９）をつけ、胴体のナット（５）の環につなげ手と見立てたエレクトロニクス機器部品を組合せたロボット装身具。
【請求項２】
サイコロ（１１）をドーナツ型溝付きゴムブッシュ（１）の開口部に挿通（図５・Ｄ）し、そのドーナツ型溝付きゴムブッシュ（１）の溝にステンレスワイヤー（６）にナット（５）と発光ダイオード（１０）のリード線を曲げたもの（図５・Ｆ）を２個通し固定し、耳付きの頭部と見立てたものに請求項１の図２・Ａを胴体と見立て結合させ、２個の圧着スリーブ（２）の開口部に夫々９ピン（１２）に銅玉（７）を通し貫通させ、銅玉（７）を通し曲げ止め、９ピン（９）の左右の環にＴピン（８）に銅玉（７）圧着Ｙ型端子（４）、銅玉（７）と通し曲げたものの環をつなげ、前後足に見立てたペットロボット型装身具。
【請求項３】
細貫通孔を有した宝来型の鈴（１３）の開口部にステンレスワイヤー（６）を挿通螺着したもの（図７・Ｇ）、細貫通孔を有した花型（１３）の中央開口部に銅玉（７）を通したステンレスワイヤー（６）を貫通させ、直角に曲げた薄型圧着端子（１６）を通しナット（５）で押さえたもの（図１１・Ｊ）のステンレスワイヤー（６）の先端を、各々請求項１の胴体ユニット（図２・Ｂ）に挿通螺着させたエレクトロニクス機器部品を組合せたロボット型装身具。
【請求項４】
ドーナツ型溝付きゴムブッシュ（１）を装着させた中継ジャック（１８）の開口部から既製の時計（１７）の留部にステンレスワイヤー（６）を巻き付け固定したものを貫通させ、銅玉（７）、圧着スリーブ（２）、銅玉（７）、圧着Ｒ端子（３）、銅玉（７）を順に通し、銅玉（７）の下部で曲げ止めし足と見立て、中継ジャック（１８）のドーナツ型溝付きゴムブッシュ（１）にステンレスワイヤー（６）を巻き止めし、左右に銅玉（７）、圧着スリーブ（２）、銅玉（７）、圧着Ｙ端子（４）、銅玉（７）を順に通し、銅玉（７）の最終部で曲げ止めし手と見立てたエレクトロニクス機器部品を組合せたロボット型置物及び装身具。
【考案の詳細な説明】
【技術分野】
【０００１】  本考案は、エレクトロニクス機器部品を組合せることによりミニロボットを想起させる装身具としたアクセサリー分野に関するものである。
【背景技術】
【０００２】  従来の装身具は部品も含めて、装身具専用に製造されるというのが手段としても常套なものであった。
【考案の開示】
【考案が解決しようとする課題】
【０００３】  従来の装身具は部品も含めて次のような欠点があった。
（イ）ハイテクノロジー、ロボット等、機能性をイメージさせる様な装身具は今まで殆ど存在していない。
（ロ）素材自体の価値に意味を見てアイディアの面白いものは殆どなかった。
（ハ）イメージ商品は自然物、動植物が殆どで概念化されたものばかりで新規性を感じられない。
（二）装身具は装身具用として専用に創られるため、量産化はされずコストの高いものになっている。
本考案は、これらの欠点を解決することを目的になされたものである。
【課題を解決するための手段】
【０００４】  エレクトロニクス機器部品という素材本来の用途・目的に拘わらず視点を変えて、部品どうしの連関性・相互の発展性・精密製・仕上げの良さ・耐久性蝕性・その他、このハイテクパーツ類の持つ属性を美しさとして捉え、機能的美しさ創出する今日的装身具化することで、新ジャンルを開く。
【考案の効果】
【０００５】  本考案は、これからの暮らしに現れてくるロボット、マイクロマシン等のイメージにマッチした製品として感覚的の先取りをする。【０００６】  在来にない新しいハイテクイメージの装身具類のジャンルを開く。【０００７】  素材の外観の美しさに意味があるため、外観が整っていれば内部に故障、欠陥があっても活用できる。【０００８】  リサイクル品でも外観が整っていれば利用する事ができる。【０００９】  エレクトロニクス機器部品の種類は多種多様にあるので、感性の赴くままその組合せによる新製品はほぼ無限に近い。
【考案を実施するための最良の形態】
【００１０】  素材本来の用途を廃棄し、視点を変えて単に無機的素材として捉え、ハイテクでありながら可愛いらしさのイメージを想起させるロボットを追及した組合せの装身具としている。圧着スリーブ（２）を並列させてドーナツ型溝付きゴムブッシュ（１）の開口部に挿通（図２・Ａ）ドーナツ型溝付きゴムブッシュ（１）の溝にナット（５）を通したステンレスワイヤー（６）を巻きつけ捩り止めしたヘッドユニットに、ボディーユニットとして圧着Ｒ端子（３）を並列させてドーナツ型溝付きゴムブッシュ（１）の開口部に挿通（図２・Ｂ）左右にナット（５）を通したステンレスワイヤー（６）を巻きつけ捩り止めしたもの或いは中継ジャック（１８）手足ユニットとして圧着Ｒ型端子（３）、圧着Ｙ型端子（４）を組合せる。【０００１１】    基本は同じでも変化性をもたせバリエーションをつくるためヘッドユニットに請求項２に見られるサイコロ（１１）をドーナツ型溝付きゴムブッシュ（１）の開口部に挿通螺着したもの（図５・Ｄ）等用いたものや、請求項３にみられる細貫通孔を有した宝来型の鈴（１３）の開口部にステンレスワイヤー（６）を挿通螺着したもの（図７・Ｇ）、細貫通孔を有した花型（１５）の中央開口部に銅玉（７）を通したステンレスワイヤー（６）を貫通させ、直角に曲げた薄型圧着端子（１６）を通しナットで押さえたもの（図１１・Ｊ）、手足ユニットにもサイズを変化させた数種の圧着端子等々の形状変化種類を用意してバリエーション展開を計る。
【実地例】
【００１２】  以下、実施例について図面を参照に説明すると、図１・図２において本考案の実施の一形態を例示している。２個の圧着スリーブ（２）を並列させてドーナツ型溝付きゴムブッシュ（１）の開口部に挿通（図２・Ａ）し、ドーナツ型溝付きゴムブッシュ（１）の溝にナット（５）を通したステンレスワイヤー（６）を巻きつけ捩り止めし、頭部と見立て、捩り止めしたステンレスワイヤー（６）の先端を、予め直角に曲げた２個の圧着Ｒ型端子（３）を並列させてドーナツ型溝付きゴムブッシュ（１）の開口部に挿通（図２・Ｂ）し、左右にナット（５）を通したステンレスワイヤー（６）を巻きつけ捩り止めし胴部と見立てたものの開口部に貫通させ圧着Ｒ型端子（３）下部で捩り止めし、５ミリ程残し切除する。切除後ステンレスワイヤー（６）は左右いずれかの圧着Ｒ型端子（３）内に曲げ止めする。Ｔピン（８）に銅玉（７）、圧着Ｙ型端子（４）、銅玉（７）の順に通し最終銅玉（７）で曲げ止めし手と見立て、胴部の左右ナット（５）にマル環（９）をつけつなげる。
【００１３】  サイコロ（１１）をドーナツ型溝付きゴムブッシュ（１）の開口部に挿通（図５・Ｄ．）したものは、サイコロの数字により顔の表情を変えることができる。
【００１４】  細貫通孔を有した宝来型の鈴（１３）の開口部にステンレスワイヤー（６）を挿通螺着したもの（図７・Ｇ）、には、上記以外にもひとつ方法があり、ステンレスワイヤー（６）に直環（１４）を通し宝来型の鈴（１３）の左右開口部の片側から差込み、左右をナット（５）で押さえ、ステンレスワイヤー（６）の先端を合せて捩り巻きする（図７・Ｈ）方法である。
【００１５】    細貫通孔を有した花型（１５）の中央開口部に銅玉（７）を通したステンレスワイヤー（６）を貫通させ、直角に曲げた薄型圧着軒（１６）を通しナット（５）で押さえたものは花型の種類により表情を変えることができる。
【００１６】    宝来型の鈴（１３）を頭部に見立て、９ピン（１２）に銅玉（７）、通し吊り上げポイントに通し、さらに銅玉（７）を通し曲げ止め、左右の環に発光ダイオード（１０）のリード線を曲げたものを２個マル環（９）につなげて耳と目に見立てたものに、図２・Ａユニットを結合させた複合ペットロボットができる。  宝来型の鈴をドーナツ型溝付きゴムブッシュに挿通することもできる。
【００１７】  ドーナツ型溝付きゴムブッシュ（１）を装着させた中継ジャック（１８）の開口部から既製の時計（１７）の留部にステンレスワイヤー（６）を巻き付け固定したものを貫通させ、銅玉（７）、圧着スリーブ（２）、銅玉（７）、圧着Ｒ端子（３）、銅玉（７）を順に通し、銅玉（７）の下部で曲げ止めし足と見立て、中継ジャック（１８）のドーナツ型溝付きゴムブッシュ（１）にステンレスワイヤー（６）を巻き止めし、左右に銅玉（７）、圧着スリーブ（２）、銅玉（７）、圧着Ｙ端子（４）、銅玉（７）を順に通し、銅玉（７）の最終部で曲げ止めし手と見立てたものは時計の種類によって表情を変えることができる。
【００１８】  組合せ使用するエレクトロニクス機器部品類はその使用に合せて予め事前準備をしておく必要がある。
【００１９】  ２個の圧着スリーブ（２）を並列させてドーナツ型溝付きゴムブッシュ（１）の開口部に挿通螺着し、ドーナツ型溝付きゴムブッシュ（１）の溝にナット（５）を通したステンレスワイヤー（６）を巻きつけ捩り止めしたものをロボットの頭と見立て予め準備しておく。
【００２０】  直角に曲げた２個の圧着Ｒ型端子（３）を並列させてドーナツ型溝付きゴムブッシュ（１）の開口部に挿通螺着し、左右にナット（５）を通したステンレスワイヤー（６）を巻きつけ捩り止めしとしたものを予め準備しておく。
【００２１】    Ｔピン（８）に銅玉（７）、圧着Ｙ型端子（４）、銅玉（７）と通し銅玉（７）の最終部で曲げ止めしロボットの手と見立てマル環（９）も予め付け準備しておく。
【００２２】    組立てたロボット型装身具に設けた吊り下げポイントはアクセサリーとして使用する場合のチェーン或いはワイヤー通し、リングフック、バチカン止め等に使用するためのポイントとして設けたものである。
【産業上の利用可能性】
【００２３】  本考案は、シンプルで安価なエレクトロニクス機器部品の組合せにより低コストで生産可能。【００２４】  簡易組立で量産性が高い。【００２５】  エレクトロニクス機器部品は新品でなくても使用可能でエコロジー効果の産業上の利用可能性が高い。【００２６】  エレクトロニクス機器部品は世界共通性を持ち国際的にも産業化できる。【００２７】  新感覚の装身具であり幅広い年代層に対応できる。
【図面の簡単な説明】
【００２８】
【図１】  本考案のエレクトロニクス機器部品を組合せたロボット装身具の外観斜視図
【図２】  図１のユニット展開図
【図３】  図１の展開図
【図４】  サイコロの頭部ユニットをもつペットロボット型装身具の外観斜視図
【図５】  図４の頭部ユニット展開図
【図６】  宝来型の鈴の頭部ユニットをもつロボット型装身具の外観斜視図
【図７】  図６の頭部ユニット展開図
【図８】  宝来型の鈴と図２・Ａユニットを結合させたペットロボット型装身具の外観斜視図
【図９】  図８のユニット展開図
【図１０】  花型頭部ユニットをもつロボット型装身具の外観斜視図
【図１１】  図１０の頭部ユニット展開図
【図１２】  既製の時計の頭部をもつ置型および装身具の外観斜視図
【図１３】  図１２の展開図
【符号の説明】
【００２９】  １  ドーナツ型溝付きゴムブッシュ
２  圧着スリーブ
３  圧着Ｒ型端子
４  圧着Ｙ型端子
５  ナット
６  ステンレスワイヤー
７  銅玉
８  Ｔピン
９  マル環
１０  発光ダイオード
１１  サイコロ
１２  ９ピン
１３  宝来型の鈴
１４  直管
１５  花型
１６  薄型圧着端子
１７  既製の時計
１８  中継ジャック
【図１】
0003121249.tif 000003
【図２】
0003121249.tif 000004
【図３】
0003121249.tif 000005
【図４】
0003121249.tif 000006
【図５】
0003121249.tif 000007
【図６】
0003121249.tif 000008
【図７】
0003121249.tif 000009
【図８】
0003121249.tif 000010
【図９】
0003121249.tif 000011
【図１０】
0003121249.tif 000012
【図１１】
0003121249.tif 000013
【図１２】
0003121249.tif 000014
【図１３】
0003121249.tif 000015
【手続補正書】
【提出日】平成17年11月21日(2005.11.21)
【手続補正１】
【補正対象書類名】実用新案登録請求の範囲
【補正対象項目名】請求項４
【補正方法】変更
【補正の内容】
【請求項４】
ドーナツ型溝付きゴムブッシュ（１）を装着させた中継ジャック（１８）の開口部から既製の時計（１７）の留部にステンレスワイヤー（６）を巻き付け固定したものを貫通させ、銅玉（７）、圧着スリーブ（２）、銅玉（７）、圧着Ｒ端子（３）、銅玉（７）を順に通し、銅玉（７）の下部で曲げ止めし足と見立て、中継ジャック（１８）のドーナツ型溝付きゴムブッシュ（１）にステンレスワイヤー（６）を巻き止めし、左右に銅玉（７）、圧着スリーブ（２）、銅玉（７）、圧着Ｙ端子（４）銅玉（７）を順に通し、銅玉（７）の最終部で曲げ止めし手と見立てたエレクトロニクス機器部品を組み合わせたロボット型置物。